(57)【要約】【課題】日々の当選確率が不均一になったり、最終日等の振り分けが偏ることのない抽選方法やサーバの提供が求められていた。【解決手段】不特定数の応募に応じて即時に抽選を行う抽選方法であって、最大当選数が決まっている複数期日にわたって実施する抽選方法において、抽選の最初の期日から最後の期日まで順に最大当選数だけ当選の割り当てを最大当選数に至るまで繰り返し、期日の経過毎に経過した期日に割り当てられた当選数から実際の当選数を引いた未当選数だけ当選を最後に割り当てた次の期日から順次割り当てを行うことを繰り返すことを特徴とする抽選方法およびサーバを提供する。【選択図】図１
2006215946.tif 000002
【特許請求の範囲】
【請求項１】
不特定数の応募に応じて即時に抽選を行う抽選方法であって、最大当選数が決まっている複数期日にわたって実施する抽選方法において、抽選の最初の期日から最後の期日まで順に最大当選数だけ当選の割り当てを最大当選数に至るまで繰り返し、期日の経過毎に経過した期日に割り当てられた当選数から実際の当選数を引いた未当選数だけ当選を最後に割り当てた次の期日から順次割り当てを行うことを繰り返すことを特徴とする抽選方法。
【請求項２】
当選の割り当てを記録する当選割り当て記憶手段と、応募を受け付ける受付手段と、受け付けた応募に対して即時に抽選を行う抽選手段と、抽選結果を即時に返信する返信手段と、当選情報を記録する当選記録手段と、からなる抽選サーバにおいて、
抽選手段が複数期日に区分された当選割り当て記憶手段に基づいており、当選割り当て記憶手段の期日毎の割り当てが抽選の最初の期日から最後の期日まで順に最大当選数だけ当選の割り当てを最大当選数に至るまで繰り返し、期日の経過毎に経過した期日に割り当てられた当選数から実際の当選数を引いた未当選数だけ当選を最後に割り当てた次の期日から順次割り当てを行うことを繰り返すことを特徴とする抽選サーバ。
【発明の詳細な説明】
【技術分野】
【０００１】
本発明は、不特定数の応募に応じて即時に抽選を行う抽選方法であって、最大当選数が決まっている複数期日にわたって実施する抽選方法において、割り当てられた当選数から実際の当選数を引いた未当選数が発生する可能性がある場合の抽選方法および抽選サーバに関する。
【背景技術】
【０００２】
従来からインターネット等や回転抽選器の様な、不特定数の応募に応じて即時に抽選を行う抽選懸賞等が行われていた。
【０００３】
それは、最初の期日前に当選数を日毎に配分（ｘ：日毎の想定当選数）し、それに基づいて期日毎の応募数を予想（ｙ：日毎の予想応募数）し、それ（ｘ、ｙ）を当選管理機能に設定して抽選を開始する。各期日の当選確率をｘ／ｙとし、抽選を実行する。
【０００４】
この様な抽選においては、各種の方式が存在した。
【０００５】
例えば、引用文献１の様な、応募過多の場合に当選の分配方法として一部を自動的に非当選とする様な抽選方法が知られている。例えば、当選が出た場合、当該日の当選数（ｘ）を超えていないか判断する。超えた場合は当選を停止する等である。
【０００６】
しかし、逆に割り当てられた当選数から実際の当選数を引いた未当選数が発生する場合は、応募過多より弊害が少ないとしてあまり考慮されることは無かった。例えば、各期日の抽選実行の結果、想定当選数が全て出ていれば問題ないが、当選数が想定数に満たなかった場合、当選管理機能を再度設定し直す必要がある。
【０００７】
具体的方法として、従来の割り当てられた当選数から実際の当選数を引いた未当選数が発生する可能性がある場合の抽選方法としては、抽選開始前に期日毎の想定当選数を配分し、各期日毎の予想応募数を予測し、各期日の当選確率を期日毎の想定当選数を期日毎の予想応募数で割ることで各期日の当選確率を設定するなどが行われていた。
【０００８】
その場合、当選が出た場合、各期日の想定当選数に達していないかを判断し、達した場合、当選の発生を停止する。
【０００９】
他方、各期日の終了時には、割り当てられた当選数から実際の当選数を引いた未当選数が発生しているかチェックし、その未当選数だけ次の期日以降に割り当てる。
【００１０】
未当選数の割り当て方法としては、翌期日に振り分ける方法、翌期日以降にランダムに振り分ける方法、等分に振り分ける方法などがある。
【００１１】
このうち、等分に振り分ける方法について示すと、未当選数を残り期日数で割った値を基準値として残り期日数に順次割り当て、その累計値が整数を超えた期日に当選を振り分ける方法である。
【００１２】
この方法を、期日が日単位の場合で図５を用いて説明すれば、１日目の未当選数４つの場合（ａ＝４）、「未当選数／残り日数」が「４／９」となるので、これを残り日数（処理当日を含む）それぞれに当てはめ、累積を計算する。すると累積値はそれぞれ「４／９、８／９、１２／９、…、３６／９」のようになり、この累積値が整数を超える４日日、
６日日、８日日、１０日日に未当選数が振り分けられることになる。
【００１３】
２日目の未当選数３つの場合（ａ＝３）、「未当選数／残り日数」は「３／８」なので、累積値が「３／８、６／８、…、２４／８」となり、整数を超える５日日、８日目、１０日日に未当選数が振り分けられる。３日目〜５日目の未当選数もこれまでと同様に処理した場合、図５に示すような結果となった。
【００１４】
特許文献は以下の通りである。
【特許文献１】特開２００４−１０４７６４号公報
【発明の開示】
【発明が解決しようとする課題】
【００１５】
しかし、この様な背景技術において、既知の未当選数の割り当て方法は各々欠陥があった。
【００１６】
まず、未当選数の割り当て方法として翌日に振り分ける方法を用いた場合は、未当選数が大量の場合、翌日の想定応募数を上回ってしまうことがある問題点があった。他方、翌日以降にランダムに振り分ける方法を用いた場合は、日々の当選確率が不均一になってしまう問題点があった。
【００１７】
等分に振り分ける方法を用いた場合は、未当選数を残り期日数で割った値を基準値として残り日数に順次割り当て、その累計値が整数を超えた日に当選を振り分ける方法では、「未当選数／残り日数」を基準値として残り日数に割り当て、その日々の累計値が整数を超えた日に当選数を振り分けるので、図５で枠で囲った「未当選数／残り日数」×日に割り振られ、再配分結果が最終日には必ず振り分けられるとともに、最終日の直前の日に割り当てられる事が極めて希になってしまう。
【００１８】
例えば、図５の様に期日が１０日間で初日の未当選数が４、２日目の未当選数が３、３日目の未当選数が３、４日目の未当選数が０、５日目の未当選数が２の場合、未当選数が発生した日の振り分けを最終日、つまり１０日目は受け、逆に最終日の前日は全く振り分けを受けず、振り分けが極めて偏ったものとなってしまう。
【課題を解決するための手段】
【００１９】
上記課題を解決する為に、まず本発明の第１の発明は、不特定数の応募に応じて即時に抽選を行う抽選方法であって、最大当選数が決まっている複数期日にわたって実施する抽選方法において、抽選の最初の期日から最後の期日まで順に最大当選数だけ当選の割り当てを最大当選数に至るまで繰り返し、期日の経過毎に経過した期日に割り当てられた当選数から実際の当選数を引いた未当選数だけ当選を最後に割り当てた次の期日から順次割り当てを行うことを繰り返すことを特徴とする抽選方法を提供するものである。
【００２０】
また、本発明の第２の発明は、当選の割り当てを記録する当選割り当て記憶手段と、応募を受け付ける受付手段と、受け付けた応募に対して即時に抽選を行う抽選手段と、抽選結果を即時に返信する返信手段と、当選情報を記録する当選記録手段と、からなる抽選サーバにおいて、抽選手段が複数期日に区分された当選割り当て記憶手段に基づいており、当選割り当て記憶手段の期日毎の割り当てが抽選の最初の期日から最後の期日まで順に最大当選数だけ当選の割り当てを最大当選数に至るまで繰り返し、期日の経過毎に経過した期日に割り当てられた当選数から実際の当選数を引いた未当選数だけ当選を最後に割り当てた次の期日から順次割り当てを行うことを繰り返すものであることを特徴とする抽選サーバを提供するものである。
【発明の効果】
【００２１】
この本願発明記載の抽選方法では、抽選期間中に未当選数が出た場合でも再設定の手間が省ける効果がある。また、抽選開始前の想定当選数に近い比率で再配分が可能となる効果もある。さらに、抽選期間中の当選率が均一化できる効果もある。そして、最終日に当選数が不自然に多く割り当てられることがなくなったために最終的な総当選数が出残る可能性が下がるという効果もある。
【発明を実施するための最良の形態】
【００２２】
応募を行った端末もしくは人（クライアント側）に抽選結果が即時に分かり、総当選数が事前に決まっており、なるべく抽選期間、例えばキャンペーン期間中は当選確率を均一にすることが望まれており、応募数は期日毎（例えば日毎）に偏りがあり、サーバ側に当選状況を管理する機能が必要な場合に特に高い効果が得られるので、この様な例で以下説明する。
【００２３】
まず、図１の様に、キャンペーン（抽選）サーバ２およびクライアント（端末機能を持つパソコンや携帯電話等）４、５、６は、インターネット１と接続していることが必要である。なお、接続は必ずしも直接接続されている必要はなく、例えばインターネットサーバなどを介しても良く、当選の告知をメール等で処理する場合に、別途メールサーバ等を用いてインターネット１に接続しても構わない。さらに、当選情報の改竄等の不正行為を防止するため、ファイアーウオール等を介することも通常行われているが、これらは通常なされている技術であるので詳細は省略する。
【００２４】
キャンペーンサーバ２は、通常のサーバの様にＣＰＵやＲＡＭの他にキーボード、ディスプレイ、などの各種接続機器が設けられるが、本願発明の場合に全て自動処理で行えば必ずしも必要でない場合が多い。少なくとも、期日毎の当選者数や当選情報などを記憶するデータベース３だけは必須である。
【００２５】
また、この応募は、インターネット１に接続できる全てのユーザを対象にする場合もあるが、本形態では説明の都合上販売製品（菓子）の購入者に応募者を限った例で以下説明する。
【００２６】
菓子の容器内部に、インターネットのアドレスとともにシリアルナンバーを表示しておく。菓子の購入者は、特定の応募期間中に表示されているアドレスにアクセスし、キャンペーンのページに接続することが可能となっている。
【００２７】
本発明のキャンペーン対象品は、販売、レンタル等の頒布等の対象になる様な、販売者や主催者、貸与者等が有償無償を問わず購入者などの利用者に渡される物であり、商品等そのものだけではなく、そのパッケージや同封内容物等を含む物であって、すくなくともその一部に当選した場合の応募に必要な識別記号が印刷、シール貼付、刻印等の各種手段により付属している各種の物のうち何れかである例が代表的である。
【００２８】
なお、配布、交付、販売等のときに不正のない様に、シリアルナンバーは販売等のときに外部から見えない位置に付属させるのが好ましいが、手渡しなどにより不公平がない場合もあるので、この要件は必須ではない。
【００２９】
見えない様にする工夫は、パッケージ内部に印刷する、商品そのものに印刷する、同封する、削れる材料でオーバープリントするなど、どの様な手段を用いるものでも良い。
【００３０】
他方、各期日が開始する直前に、キャンペンサーバでは、未当選数（ａ）を処理当日か
ら順次１ずつ振り分ける。最終日まで振り分けたら順次ループ処理し、また処理当日から順次振り分ける。最後まで振り分けられたら、振り分けが終了した翌日の日付を配分開始日（ｂ）として記憶する（データベース３に日付を記憶させるためのテーブルをあらたに作成する）。図４の例では、何回か巡回した割り当ての最後が１日で終了した場合を示し、この場合、その最後の割り当て日に対応する初期設定値の次の値、つまり次の期日に対応する初期設定値を最初の初期設定値とする。
【００３１】
これを次以降の応募日でも実行し、次回の未当選が出た際はテーブルから配分開始日を取得し、その日から配分する。なお、キャンペーンの残り日数より未当選数が多い場合はループ処理をおこなう。
【００３２】
これを図４を用いて説明すれば、まず、１日目に未当選数が４つ出た場合（ａ＝４）、配分調整テーブルから配分開始日付「２」（ｂ＝２）を取得し、２日目から順に末当選数を１ずつ振り分けていく。なお、この場合、配分調整テーブルの配分開始日付が当日になってしまう場合があるが、その場合は翌日に再設定するものとする。つまり、未当選数は５日目に０になるので、配分調整テーブルに「６」を書き込んで処理を終了する。
【００３３】
次に、２日目に未当選数が３つ出た場合（ａ＝３）、配分調整テーブルから前日に書き込まれた「６」（ｂ＝６）を取得し、６日目から順に未当選数を振り分ける。未当選数は８日目に０になるので、配分調整テーブルに「９」を書き込んで処理を終える。
【００３４】
そして、３日目に未当選数が３つ出た場合（ａ＝３）、配分調整テーブルから「９」（ｂ＝９）を取得し、９日目から順に未当選数を振り分ける。すると、未当選数を２つ振り分けた時点で最終日になってしまう。その場合は、処理当日である４日目に戻って振り分けを再開し、未当選が０になる「５」を配分調整テーブルに書き込んで終了する。
【００３５】
さらに、４日日は未当選が発生せず、５日目に未当選が２つ出た場合、これまでと同様に配分調整テーブルから「５」（ｂ＝５）を取得するが、処理当日よりも以前の日付である。この場合は、配分開始日付を処理当日である「６」（ｂ＝６）に再設定し、振り分けは６日目より実行する。具体的には、図３の様なフローチャートを採用する場合を一つの形態として示すことができる。
【００３６】
このように未当選数を配分することで図４のような結果となり、当初の想定当選数から大きくズレない比率での再配分が実現できる。また、キャンペーン期間中の再設定の手間が省けるというメリットも得られる。
【００３７】
この様な設定の上で、応募は、図２の示すキャンペーンサーバ２とクライアント４交信のタイミングフロー図の様に、クライアント側からキャンペーンサーバ２にアクセスがあると、クライアント４にシリアルナンバー入力画面が表示される。これに対してクライアント４からシリアルナンバーが入力されると、抽選画面がサーバから送られて抽選画面がクライアント４に表示される。ここでクライアント４から抽選が指示されると、サーバの当選管理機能７が働き、抽選が行われる。
【００３８】
この当選管理機能７は、従来の当選管理機能と同等であり、各種の方式があるが、そのどれでも構わない。例えば、各期日の当選確率をｘ／ｙとし（ｘ：日毎の想定当選数、ｙ：日毎の予想応募数）、抽選を実行し、期日内の当選数を超した場合は当選を０とするもので構わない。
【００３９】
また、当選か否かの表示は、単に当選か否かでも良いが、等級や賞品の種類が分かれている場合には、その等級や賞品の種類を示すものでも示さないものでも良く、一長一短で
ある。また、識別記号は当選の場合のみ表示するものであるが、はずれの場合には代替の表示をなすものでも、何等表示しないものでも構わない。当選期日は、１日単位の他、週単位、募集期間単位などでも構わない。
【００４０】
さらに、このデータベースは、当選を数量管理し、当選者のみをデータベース管理する様な方式、シリアルナンバー全てをデータベースとして有して、各シリアルナンバーに対して当落のフラグを対照させる方式など、各種のデータ形式が可能である。また、用途により顧客管理、アンケート管理、宣伝広告など複数の他の機能を同時に持たせる仕組みでも構わない。さらに、追加の当選数を付与できる形式でも構わない。
【産業上の利用可能性】
【００４１】
本発明は、不特定数の応募に応じて即時に抽選を行う抽選方法であって、最大当選数が決まっている複数期日にわたって実施する抽選方法において、割り当てられた当選数から実際の当選数を引いた未当選数が発生する可能性がある場合の抽選方法および抽選サーバに関するもので、インターネット、携帯などの各種バーチャル的懸賞の他、回転抽選器を応用した実際の抽選にも応用できる。
【図面の簡単な説明】
【００４２】
【図１】図１は、ネットワークの構成図である。
【図２】図２は、クライアントとサーバ間のデータ交信を示すキャンペンのタイミングフロー図である。
【図３】図３は、抽選方法に係るフローチャートである。
【図４】図４は、本願の当選の割り当ての方法を示す図である。
【図５】図５は、従来の等分に割り振る方法における当選の割り当て方法を示す図である。
【符号の説明】
【００４３】
１  インターネット
２  キャンペーンサーバ
３  データベース
４、５、６  クライアント
７  当選管理機能
【図１】
2006215946.tif 000003
【図２】
2006215946.tif 000004
【図３】
2006215946.tif 000005
【図４】
2006215946.tif 000006
【図５】
2006215946.tif 000007